(57)【特許請求の範囲】
【請求項１】
電源部から電力の供給を受けて動作する複数の被電力供給部を有する画像形成装置において、
自己復旧困難な障害の発生を検出する障害検出部と、
前記障害検出部で障害の発生の検出結果に応じて、該被電力供給部へ供給する電力量を抑制する主制御部と、
媒体を収容する第１の媒体収容部と、
媒体を収容し、印刷位置まで前記媒体を搬送する距離が、前記第１の媒体収容部から前記印刷位置まで媒体を搬送する距離より長い第２の媒体収容部とを備え、
前記被電力供給部は、前記第１の媒体収容部または前記第２の媒体収容部から給紙した媒体に現像剤像を印刷する前記主制御部を含み、
前記障害検出部は、前記被電力供給部を冷却する冷却器の障害の発生を検出し、
前記主制御部は、前記障害検出部が前記主制御部を冷却する冷却器の障害の発生を検出したとき、該被電力供給部へ供給する電力量を抑制した印刷動作を行う負荷低減モードへ移行し、
前記第２の媒体収容部からの媒体の搬送を禁止し、前記第１の媒体収容部から媒体を搬送して印刷を行うことを特徴とする画像形成装置。
【請求項２】
請求項１の画像形成装置において、
前記負荷低減モードは、第１の負荷低減モードと第２の負荷低減モードとを有し、
前記第１の負荷低減モードは、前記第１の媒体収容部または第２の媒体収容部から媒体を間欠搬送して印刷を実行し、
前記第２の負荷低減モードは、前記第２の媒体収容部からの媒体搬送を禁止して前記第１の媒体収容部から媒体を搬送して印刷を実行し、
前記第１の負荷低減モードと前記第２の負荷低減モードは、各々選択可能に設けられ、前記主制御部は、前記第２の負荷低減モードが選択され、かつ前記障害検出部が前記主制御部を冷却する冷却器の障害の発生を検出したとき、前記第２の媒体収容部からの媒体の搬送を禁止し、前記第１の媒体収容部から媒体を搬送して印刷を行うことを特徴とする画像形成装置。
【請求項３】
請求項２の画像形成装置において、
前記被電力供給部は、媒体に転写された現像剤像を定着させる定着部を含み、
前記主制御部は、前記障害検出部が前記定着部を冷却する冷却器の障害の発生を検出したとき、選択された前記負荷低減モードに関わらず、前記定着部により行う定着動作の時間間隔を、前記障害検出部が前記定着部を冷却する冷却器の障害の発生を検出しないときより、長くすることを特徴とする画像形成装置。
【請求項４】
電力の供給を受けて動作する複数の被電力供給部と、該被電力供給部のうち冷却が必要な部位に対して冷却を行う冷却器を複数有する画像形成装置において、
前記複数の冷却器のうち自己復旧困難な障害の発生を検出する障害検出部と、
前記複数の冷却器のうち前記定着部を冷却する冷却器の冷却風が流れる定着部冷却領域と前記電源部を冷却する冷却器の冷却風が流れる電源部冷却領域とを接続する筒状の接続部材と、
前記接続部材を流れる冷却風を遮蔽する開閉可能な遮蔽板と、
前記障害検出部で障害の発生が検出された前記冷却器に応じて、前記遮蔽板を開閉する主制御部と、
媒体を収容する第１の媒体収容部と、
媒体を収容し、印刷位置まで前記媒体を搬送する距離が、前記第１の媒体収容部から前記印刷位置まで媒体を搬送する距離より長い第２の媒体収容部とを備え、
前記被電力供給部は、前記第１の媒体収容部または前記第２の媒体収容部から給紙した媒体に現像剤像を印刷する前記主制御部、媒体に転写された現像剤像を定着させる定着部および商用電源から電力が供給される電源部を含み、
前記障害検出部は、前記被電力供給部を冷却する冷却器の障害の発生を検出し、
前記主制御部は、
前記障害検出部が、前記電源部または前記定着部を冷却する冷却器における障害の発生を検出したとき、前記遮蔽板を開放し、
前記障害検出部が、前記主制御部を冷却する冷却器の障害の発生を検出したとき、該被電力供給部へ供給する電力を抑制した印刷動作を行う負荷低減モードへ移行し、前記第２の媒体収容部からの媒体の搬送を禁止し、前記第１の媒体収容部から媒体を搬送して印刷を行うことを特徴とする画像形成装置。
【請求項５】
請求項４の画像形成装置において、
前記負荷低減モードは、第１の負荷低減モードと第２の負荷低減モードとを有し、
前記第１の負荷低減モードは、前記第１の媒体収容部または第２の媒体収容部から媒体を間欠搬送して印刷を実行し、
前記第２の負荷低減モードは、前記第２の媒体収容部からの媒体搬送を禁止して前記第１の媒体収容部から媒体を搬送して印刷を実行し、
前記第１の負荷低減モードと前記第２の負荷低減モードは、各々選択可能に設けられ、前記主制御部は、前記第２の負荷低減モードが選択され、かつ前記障害検出部が前記主制御部を冷却する冷却器の障害の発生を検出したとき、前記第２の媒体収容部からの媒体の搬送を禁止し、前記第１の媒体収容部から媒体を搬送して印刷を行うことを特徴とする画像形成装置。
【請求項６】
請求項５の画像形成装置において、
前記主制御部は、前記第１の負荷低減モードが選択され、かつ前記障害検出部が前記電源部または前記定着部を冷却する冷却器の障害の発生を検出したとき、前記定着部により行う定着動作の時間間隔を、前記障害検出部が前記電源部または前記定着部を冷却する冷却器の障害の発生を検出しないときより、長くすることを特徴とする画像形成装置。
【請求項７】
請求項５の画像形成装置において、
前記主制御部は、前記第２の負荷低減モードが選択され、かつ前記障害検出部が前記電源部を冷却する冷却器の障害の発生を検出したとき、前記第２の媒体収容部から前記媒体の給紙を行わないようにしたことを特徴とする画像形成装置。
【発明の詳細な説明】
【技術分野】
【０００１】
本発明は、プリンタ、複写機、ファクシミリ装置、複合機等の画像形成装置に関する。
【背景技術】
【０００２】
従来の画像形成装置は、装置に発生する障害の状況に応じて電源装置のオン／オフを判断し、回復不可能な障害が発生した場合、無駄な電力消費を削減するため、装置全体に電力を供給する電源を切断（オフ）するようにしている（例えば、特許文献１参照）。
【先行技術文献】
【特許文献】
【０００３】
【特許文献１】特開２０１０−１４７８１０号公報（段落「００６８」〜段落「００７６」、図２）
【発明の概要】
【発明が解決しようとする課題】
【０００４】
しかしながら、上述した従来の技術においては、回復不可能な障害が発生した場合、常に装置全体に電力を供給する電源を切断するため装置全体が停止してしまい、その障害が復旧するまで装置の使用ができず、使用者の利便性を損なっていたという問題がある。
本発明は、このような問題を解決することを課題とし、回復不可能な障害が発生した場合であっても、装置の使用を可能とし、使用者の利便性を確保することを目的とする。
【課題を解決するための手段】
【０００５】
そのため、本発明は、電源部から電力の供給を受けて動作する複数の被電力供給部を有する画像形成装置において、自己復旧困難な障害の発生を検出する障害検出部と、前記障害検出部で障害の発生の検出結果に応じて、該被電力供給部へ供給する電力量を抑制する主制御部と、媒体を収容する第１の媒体収容部と、媒体を収容し、印刷位置まで前記媒体を搬送する距離が、前記第１の媒体収容部から前記印刷位置まで媒体を搬送する距離より長い第２の媒体収容部とを備え、前記被電力供給部は、前記第１の媒体収容部または前記第２の媒体収容部から給紙した媒体に現像剤像を印刷する前記主制御部を含み、前記障害検出部は、前記被電力供給部を冷却する冷却器の障害の発生を検出し、前記主制御部は、前記障害検出部が前記主制御部を冷却する冷却器の障害の発生を検出したとき、該被電力供給部へ供給する電力量を抑制した印刷動作を行う負荷低減モードへ移行し、前記第２の媒体収容部からの媒体の搬送を禁止し、前記第１の媒体収容部から媒体を搬送して印刷を行うことを特徴とする。
【発明の効果】
【０００６】
このようにした本発明は、回復不可能な障害が発生した場合であっても、使用者の利便性を確保することができるという効果が得られる。
【図面の簡単な説明】
【０００７】
【図１】第１の実施例における画像形成装置の制御構成を示すブロック図
【図２】第１の実施例における画像形成装置の構成を示す概略側断面図
【図３】第１の実施例におけるファンの実装箇所および冷却領域を示す説明図
【図４】第１の実施例におけるファンの実装箇所および冷却領域を示す斜視図
【図５】第１の実施例における負荷低減モードへの移行処理を示すフローチャート
【図６】第２の実施例におけるファンの実装箇所および冷却領域を示す説明図
【図７】第２の実施例におけるファンの実装箇所および冷却領域を示す斜視図
【図８】第２の実施例における画像形成装置の制御構成を示すブロック図
【発明を実施するための形態】
【０００８】
以下、図面を参照して本発明による画像形成装置の実施例を説明する。
【実施例１】
【０００９】
図２は第１の実施例における画像形成装置の構成を示す概略側断面図である。
図２において、１０１は画像形成装置としてのプリンタであり、本実施例では、電子写真方式のカラープリンタとして説明する。１０２はトップカバー部であり、プリンタ１０１の上部に開閉可能に取り付けられている。なお、図２はプリンタ１０１の左側断面図であり、図面右側がプリンタ１０１の正面（前面）１０１ａを示している。
【００１０】
記録媒体１０３は、プリンタ１０１により画像が印刷されるものであり、プリンタ１０１の下部に配設された記録媒体収容部１０４に収容されている。
記録媒体収容部１０４の上方には、給紙ローラ１０５が配設され、この給紙ローラ１０５は、回転することにより記録媒体収容部１０４に収容された記録媒体１０３を１枚ずつ分離して図中矢印Ａが示す方向へ給紙する。
【００１１】
第１レジストローラ対１０６および第２レジストローラ対１０７は、給紙ローラ１０５により給紙された記録媒体１０３を挟持して画像形成部まで搬送する搬送ローラである。
ＩＮ１センサ１０８は、記録媒体１０３の搬送方向（図中矢印Ａが示す方向）における第１レジストローラ対１０６の上流に配設され、記録媒体１０３が到達したことを検知する走行系のセンサである。
【００１２】
ＩＮ２センサ１０９は、記録媒体１０３の搬送方向（図中矢印Ａが示す方向）における第２レジストローラ対１０７の上流に配設され、記録媒体１０３が到達したことを検知する走行系のセンサである。
ＷＲセンサ１１０は、記録媒体１０３の搬送方向（図中矢印Ａが示す方向）における第２レジストローラ対１０７の下流に配設され、記録媒体１０３が画像形成部に到達するタイミングを検知する走行系のセンサである。
【００１３】
画像形成部は、搬送ベルト１１１と、画像形成ユニット１１２と、ＬＥＤ（Ｌｉｇｈｔ  Ｅｍｉｔｔｉｎｇ  Ｄｉｏｄｅ）ヘッド１１３と、転写ローラ１１５と、定着部１１４とから構成されている。この画像形成部で、帯電、露光、現像、転写、および定着による電子写真プロセスによって記録媒体１０３上に画像が形成される。
画像形成ユニット１１２、ＬＥＤヘッド１１３および転写ローラ１１５は、シアン（Ｃ）、マゼンタ（Ｍ）、イエロー（Ｙ）、ブラック（Ｋ）のそれぞれの色に対応して設けられているが、同じ構成であるため同一の番号を付与して以下に説明する。なお、各色の画像形成ユニット１１２Ｃ、１１２Ｍ、１１２Ｙ、１１２Ｋは、消耗品であるため、プリンタ１０１に対してそれぞれ独立して着脱可能に設けられている。
【００１４】
搬送ベルト１１１は、二つのローラに張架され、回転することにより、給紙されて搬送された記録媒体１０３を画像形成部の下流へ搬送する無端状のベルトである。
転写ローラ１１５（１１５Ｃ、１１５Ｍ、１１５Ｙ、１１５Ｋ）は、搬送ベルト１１１を挟んで感光ドラム１１６と対向して配設されており、感光ドラム１１６の表面上に形成されたトナー像を記憶媒体１０３上に転写する。
【００１５】
ＬＥＤヘッド１１３（１１３Ｃ、１１３Ｍ、１１３Ｙ、１１３Ｋ）は、印刷データに応じて光を照射する露光部であり、開閉可能なトップカバー部１０２に取り付けられている。このＬＥＤヘッド１１３は、トップカバー部１０２が開けられると感光ドラム１１６の表面から離間し、一方トップカバー部１０２が閉じられると感光ドラム１１６の表面に近接し、感光ドラム１１６を露光することができるようになる。各ＬＥＤヘッド１１３は、図示しないケーブルを介してプリンタ制御部１１７に接続されている。
【００１６】
画像形成ユニット１１２（１１２Ｃ、１１２Ｍ、１１２Ｙ、１１２Ｋ）は、像担持体としての感光ドラム１１６を備え、その感光ドラム１１６は、図示しない帯電手段でその表面が一様に帯電された後、ＬＥＤヘッド１１３により画像データに対応して露光されることにより、その表面に画像データに応じた静電潜像が形成される。
第１のメモリタグ１１８（１１８Ｃ、１１８Ｍ、１１８Ｙ、１１８Ｋ）は、それぞれの画像形成ユニット１１２に取り付けられ、ＩＣチップや不揮発性メモリを備え、後述するＲＦ読み書き制御部と無線通信が可能なものである。
【００１７】
トナーカートリッジ１１９（１１９Ｃ、１１９Ｍ、１１９Ｙ、１１９Ｋ）は、内部に現像剤としてのトナーを収容するものであり、それぞれの画像形成ユニット１１２に着脱可能に構成され、画像形成ユニット１１２に取り付けると収容したトナーを画像形成ユニット１１２の内部に供給する構造になっている。
第２のメモリタグ１２０（１２０Ｃ、１２０Ｍ、１２０Ｙ、１２０Ｋ）は、それぞれのトナーカートリッジ１１９に取り付けられ、ＩＣチップや不揮発性メモリを備え、後述するＲＦ読み書き制御部と無線通信が可能なものである。
【００１８】
定着部１１４は、記録媒体１０３の搬送方向における搬送ベルト１１１の下流に配設され、画像形成部で記録媒体１０３上に転写されたトナー画像を熱と圧力により記録媒体１０３に定着させるものである。
ＥＸＩＴセンサ１２１は、記録媒体１０３の搬送方向における定着部１１４の下流に配設され、定着部１１４から記録媒体１０３が排出されたことを検知する走行系センサである。
【００１９】
さらに、記録媒体１０３の搬送方向における定着部１１４の下流には、排出された記録媒体１０３を堆積するための排出スタッカ部１２２が設けられている。
プリンタ制御部１１７は、演算手段および制御手段としてのＣＰＵ（Ｃｅｎｔｒａｌ  Ｐｒｏｃｅｓｓｉｎｇ  Ｕｎｉｔ）、およびメモリ等の記憶手段により構成され、記憶手段に記憶された制御プログラム（ソフトウェア）に基づいてプリンタ１０１全体の動作を制御する。なお、プリンタ制御部１１７の詳細は後述するものとする。
【００２０】
ここで、上述した各走行系センサ（ＩＮ１センサ１０８、ＩＮ２センサ１０９、ＷＲセンサ１１０およびＥＸＩＴセンサ１２１）は、ケーブルを介してプリンタ制御部１１７に接続されており、各走行系センサで検知した情報をプリンタ制御部１１７へ通知する。
また、各ローラ（給紙ローラ１０５、第１レジストローラ対１０６、第２レジストローラ対１０７、搬送ベルト１１１の駆動ローラ、感光ドラム１１６、転写ローラ１１５および定着部１１４のローラ）は、図示しないモータにより回転駆動され、記録媒体１０３を図中矢印Ａが示す搬送経路の下流方向へ搬送することができるようになっている。
【００２１】
ＲＦ読み書き制御部１２３は、ケーブルを介してアンテナ部１２４（１２４Ｃ、１２４Ｍ、１２４Ｙ、１２４Ｋ）およびプリンタ制御部１１７に接続され、そのプリンタ制御部１１７からケーブルを介して電源や制御信号が供給される。ＲＦ読み書き制御部１２３は、その制御信号にしたがってプリンタ制御部１１７との間で情報の授受を行い、また第１のメモリタグ１１８および第２のメモリタグ１２０との間で情報の読出し／書込み等を行うための無線通信制御を行う。
【００２２】
アンテナ部１２４は、第１のメモリタグ１１８および第２のメモリタグ１２０と対向して配設され、１つのアンテナ部１２４に対して複数のメモリタグ（第１のメモリタグ１１８および第２のメモリタグ１２０）との間で無線通信が可能になっており、複数のメモリタグに記憶された情報を読み出すマルチリードが可能に構成されている。
【００２３】
操作パネル１２５は、プリンタ１０１の前面上部に配設されており、図示しないケーブルを介してプリンタ制御部１１７に接続されている。操作パネル１２５は、液晶ディスプレイ等の表示部と、複数の押しボタンスイッチ等からなる入力部を備え、表示部にメッセージ等を表示して使用者へ各種情報を報知し、また入力部で使用者のスイッチ操作を受付けて設定情報等の各種情報の入力が可能になっている。
電源部としての低圧電源２０８は、商用電源１０から電力供給を受け、被電力供給部としてのプリンタ制御部１１７、定着部１１４や各モータ等の駆動源に電力を供給する。
【００２４】
また、プリンタ１０１には、記録媒体１０３を収容する付属記録媒体収容部としてのオプショントレイ１３０が記録媒体収容部１０４の下段に配設されている。
オプショントレイ１３０の上方には、給紙ローラ１３５が配設され、この給紙ローラ１３５は、回転することによりオプショントレイ１３０に収容された記録媒体１０３を１枚ずつ分離して図中矢印Ａが示す方向へ給紙する。
【００２５】
第３レジストローラ対１３６は、給紙ローラ１３５により給紙された記録媒体１０３を挟持して第１レジストローラ対１０６まで搬送する搬送ローラである。
ＩＮ１センサ１３８は、記録媒体１０３の搬送方向（図中矢印Ａが示す方向）における第３レジストローラ対１３６の上流に配設され、記録媒体１０３が到達したことを検知する走行系のセンサである。
なお、本実施例では、プリンタ１０１はひとつのオプショントレイ１３０を備えたものとして説明するが、それに限られることなく、オプショントレイを複数備えたものであってもよい。
【００２６】
図１は第１の実施例における画像形成装置の制御構成を示すブロック図であり、図１中の太線矢印は電源の供給を示し、細線矢印は制御信号の流れを示している。
本実施例では、電力の供給を受けて発熱する被電力供給部（発熱部）を冷却する冷却器としてのファンの回転異常を自己復旧困難な障害として説明する。ファンの回転異常を自己復旧不可能な障害として説明するのは、ファンの回転異常は、被電力供給部（発熱部）の周辺の温度を上昇させ、装置の破壊、破損等を発生させることもあり、装置にとって最も回避しなければならない障害であるためである。
【００２７】
また、自己復旧困難な障害とは、異常が発生した部位が破損や故障により作動せず、復旧させるためには、その部位の修理や交換が必要な異常である。
図１において、プリンタ１０１は、プリンタ制御部１１７、ファン群２０１、モータ群２０２、定着部１１４、低圧電源２０８、および電源制御素子２０９等から構成されている。
【００２８】
低圧電源２０８は、商用電源１０からの電力供給を受け、その電源に基づいて被電力供給部としてのプリンタ制御部１１７、ならびに電源制御素子２０９を介してファン群２０１、モータ群２０２、定着部１１４、およびプリンタ制御部１１７へ電力を供給している。
【００２９】
ここで、プリンタ制御部１１７、定着部１１４、およびモータ群２０２は、商用電源１０からの電力供給を受けるため、本発明での被電力供給部に相当する。また、ファン群２０１は被電力供給部を冷却する冷却器群とする。なお、低圧電源２０８も商用電源１０からの電力供給を受けているため、被電力供給部に含まれる。
【００３０】
主制御部としてのプリンタ制御部１１７は、上述したようにプリンタ１０１全体の動作を制御する。このプリンタ制御部１１７には、入出力ポートを介してファン群２０１、モータ群２０２、ファン回転検知センサ２２０、および定着部１１４が接続され、また図２に示すＲＦ読み書き制御部１２３、操作パネル１２５、および走行系センサが接続されている。
【００３１】
ファン群２０１は、低圧電源２０８を冷却する冷却器としてのファンＡ２０１ａ、定着部１１４を冷却する冷却器としてのファンＢ２０１ｂ、およびプリンタ制御部１１７を冷却する冷却器としてのファンＣ２０１ｃにより構成され、ファンＡ２０１ａ、ファンＢ２０１ｂ、およびファンＣ２０１ｃは、プリンタ制御部１１７の入出力ポートに接続されている。
【００３２】
このようにファンＡ２０１ａ、ファンＢ２０１ｂ、およびファンＣ２０１ｃは、低圧電源２０８およびその低圧電源２０８から電力の供給を受ける定着部１１４、プリンタ制御部１１７を冷却する。なお、本実施例では、ファンを低圧電源２０８、定着部１１４、およびプリンタ制御部１１７に取り付けた例で説明するが、それに限られるものでなく、電力が供給される他の被電力供給部に取り付けるようにしても良い。
【００３３】
また、ファンＡ２０１ａの中にはファンＡ２０１ａの回転を検知するファン回転検知センサ２２０ａ、ファンＢ２０１ｂの中にはファンＢ２０１ｂの回転を検知するファン回転検知センサ２２０ｂ、およびファンＣ２０１ｃの中にはファンＣ２０１ｃの回転を検知するファン回転検知センサ２２０ｃが配設されており、そのファン回転検知センサ２２０ａ、ファン回転検知センサ２２０ｂ、およびファン回転検知センサ２２０ｃは、プリンタ制御部１１７の入出力ポートに接続されている。
【００３４】
モータ群２０２は、図２に示す感光ドラム１１６等の画像形成ユニット１１２の各ローラを回転駆動する画像形成ユニットモータ２０２ａ、図２に示す給紙ローラ１０５、給紙ローラ１３５や第１のレジストローラ対１０６、第２のレジストローラ対１０７、および第３のレジストローラ対１３６等の媒体搬送路の各ローラを回転駆動する給紙モータ２０２ｂ、ならびに定着部１１４内のローラを回転駆動する定着モータ２０２ｃにより構成され、画像形成ユニットモータ２０２ａ、給紙モータ２０２ｂ、および定着モータ２０２ｃは、プリンタ制御部１１７の入出力ポートに接続されている。
【００３５】
プリンタ制御部１１７は、不揮発性メモリであるＥＥＰＲＯＭ（Ｅｌｅｃｔｒｉｃａｌ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）２０３と、一時記憶用の揮発性メモリであるＲＡＭ（Ｒａｎｄｏｍ  Ａｃｃｅｓｓ  Ｍｅｍｏｒｙ）２０４と、ファン群２０１を制御するファン制御部２０５と、ファン群２０１の障害を検出するファン障害検出部２０６と、ファン群２０１、モータ群２０２、および定着部１１４への電源供給を制御する電源制御部２０７とを備えている。
このプリンタ制御部１１７は、ファン群２０１、モータ群２０２、および定着部１１４の動作を制御するための駆動回路を備え、低圧電源２０８から供給される電力により発熱するため、ファンＣ２０１ｃにより冷却されるようになっている。
【００３６】
ファン制御部２０５は、ファン回転検知センサ２２０ａ、２２０ｂ、２２０ｃからの入力信号によりファン群２０１のファンＡ２０１ａ、ファンＢ２０１ｂ、およびファンＣ２０１ｃに発生した障害をファン障害検出部２０６で検出するとともに、検出した障害状況に基づいてファン群２０１のファンＡ２０１ａ、ファンＢ２０１ｂ、およびファンＣ２０１ｃの回転およびその停止を行う。
【００３７】
ファンＡ２０１ａの中にはファン回転検知センサ２２０ａ、ファンＢ２０１ｂの中にはファン回転検知センサ２２０ｂ、ファンＣ２０１ｃの中にはファン回転検知センサ２２０ｃが備えられ、ファン回転検知センサ２２０ａ、ファン回転検知センサ２２０ｂ、およびファン回転検知センサ２２０ｃは、それぞれのファンの回転または停止の状態をファン制御部２０５へ通知する。このファン回転検知センサ２２０ａ、２２０ｂ、２２０ｃは、例えば発光素子およびその発光素子から発光された光を受光する受光素子からなる光学式センサと、ファンＡ２０１ａ、ファンＢ２０１ｂ、ファンＣ２０１ｃの回転軸に取り付けられ、光学式センサの光軸を遮るように配置されたエンコーダ等とにより構成され、その光学式センサで各ファンの回転を検知する。
【００３８】
ファン制御部２０５のファン障害検出部２０６は、ファンＡ２０１ａ、ファンＢ２０１ｂ、またはファンＣ２０１ｃを回転するように制御しているにも関わらず、ファン回転検知センサ２２０ａ、２２０ｂ、２２０ｃから回転が停止している旨の情報が通知された場合、当該ファンに障害（異常）が発生していることを検出する。
このようにファン障害検出部２０６は、各被電力供給部における自己復旧困難な障害を検出する障害検出部として機能する。
【００３９】
電源制御部２０７は、低圧電源２０８から直接電源の供給を受けるとともに、電源制御素子２０９を制御してファン群２０１、モータ群２０２、定着部１１４、図示しない操作パネル、およびプリンタ制御部１１７への電力の供給と、その電力供給の遮断とを切替えるものである。
なお、電源制御素子２０９は、電源制御部２０７に接続され、電源制御部２０７からの制御信号にしたがってファン群２０１、モータ群２０２、定着部１１４、図示しない操作パネル、およびプリンタ制御部１１７への電力の供給と、その電力供給の遮断とを切替える。
【００４０】
プリンタ制御部１１７は、ファン制御部２０５のファン障害検出部２０６でファンＡ２０１ａ、ファンＢ２０１ｂ、またはファンＣ２０１ｃの障害を検出すると、電源制御部２０７、電源制御素子２０９、モータ群２０２、および定着部１１４等を制御して障害が発生したファンが冷却する被電力供給部（低圧電源２０８、定着部１１４、プリンタ制御部１１７）へ供給する電力量（すなわち、被電力供給部で消費される所定時間当たりの電力量）を抑制し、その被電力供給部の温度上昇を抑える負荷低減モードへ移行する。
【００４１】
ここで、負荷低減モードとは、障害が発生したファンが冷却する被電力供給部への電力供給を抑制して当該被電力供給部の温度上昇を抑える印刷動作を行うモードである。例えば、定着部１１４のファンに障害が発生した場合、定着動作間の時間間隔を長くすることにより、定着部１１４へ供給する所定時間当たりの電力量を抑制することができ、またプリンタ制御部１１７のファンに障害が発生した場合、印刷動作間の時間間隔を長くすることにより、プリンタ制御部１１７へ供給する所定時間当たりの電力量を抑制することができ、さらに低圧電源２０８のファンに障害が発生した場合、定着部１１４やモータ群２０２等の電源制御部２０７以外の部位へ供給する電力を遮断することにより、商用電源１０から低圧電源２０８へ供給される電力量を抑制することができる。
【００４２】
なお、負荷は電力を示すものであり、負荷が大きくなるとは、各被電力供給部が動作を行うことにより各被電力供給部へ供給される電力量が、動作を行っていないときよりも、大きくなることである。この各被電力供給部への負荷を低減することにより、各被電力供給部での温度上昇を抑えることができる。
【００４３】
表１は、ファンの障害を検知したプリンタ制御部１１７が行う負荷低減モード１の動作を記述したテーブルであり、プリンタ制御部１１７のＥＥＰＲＯＭ２０３にデータテーブルとして格納されているものである。
【００４４】
【表１】
0005520845.tif 000002
【００４５】
表２は、負荷低減モード１とは異なるモードであって、ファンの障害を検知したプリンタ制御部１１７が行う負荷低減モード２の動作を記述したテーブルであり、プリンタ制御部１１７のＥＥＰＲＯＭ２０３にデータテーブルとして格納されているものである。
【００４６】
【表２】
0005520845.tif 000003
【００４７】
なお、表１に示す負荷低減モード１の動作と表２に示す負荷低減モード２の動作の異なる部分は、ファンＣ２０１ｃで障害が発生した場合、負荷低減モード１では間欠印刷を行うようにしているが、負荷低減モード２ではオプショントレイからの給紙を禁止していることであるが、その詳細は後述する。
【００４８】
図３は第１の実施例におけるファンの実装箇所および冷却領域を示す説明図であり、図４は第１の実施例におけるファンの実装箇所および冷却領域を示す斜視図である。なお、図３（ａ）はプリンタ１０１を左側面から見た断面図、図３（ｂ）はプリンタ１０１を上面から見た断面図、図３（ｃ）はプリンタ１０１を右側面から見た断面図、図３（ｄ）はプリンタ１０１を正面から見た断面図である。また、図４における左側の面はプリンタ１０１の正面１０１ａである。さらに、図３および図４は説明の便宜上、プリンタ１０１の形状を擬似的に直方体としている。
【００４９】
図３および図４において、２１１ａは、ファンＡ２０１ａによる冷却領域（空間）、２１１ｂは、ファンＢ２０１ｂによる冷却領域（空間）、２１１ｃは、ファンＣ２０１ｃによる冷却領域（空間）を示している。
【００５０】
ファンＡ２０１ａは、低圧電源を冷却するためプリンタ１０１の後部の下段部の広域を冷却し、ファンＢ２０１ｂは、定着部を冷却するためプリンタ１０１の前後方向における中央部の中段部の広域を冷却し、ファンＣ２０１ｃは、プリンタ制御部を冷却するためプリンタ１０１の後部の下段部の右側の領域を冷却する。なお、図３および図４中の破線の矢印はファンによる冷却風の流れを示している。
【００５１】
また、ファンＡ２０１ａの中にはファン回転検知センサ２２０ａ、ファンＢ２０１ｂの中にはファン回転検知センサ２２０ｂ、ファンＣ２０１ｃの中にはファン回転検知センサ２２０ｃが備えられ、ファン回転検知センサ２２０ａ、ファン回転検知センサ２２０ｂ、およびファン回転検知センサ２２０ｃは、それぞれのファンの回転または停止の状態を図１に示すファン制御部２０５へ通知する。そのファン制御部２０５は、ファン回転検知センサ２２０ａ、２２０ｂ、２２０ｃから通知された情報に基づき、それぞれのファンの異常を検出する。
【００５２】
上述した構成の作用について説明する。
まず、プリンタの印刷動作を図２に基づいて説明する。
プリンタ１０１のプリンタ制御部１１７は、例えばパーソナルコンピュータ等の上位装置から受けた印刷指示に従い、印刷指示された画像データの生成処理、記録媒体収容部１０４またはオプショントレイ１３０に収容された記録媒体１０３の給紙および搬送制御、画像形成ユニット１１２により現像剤像を形成する現像制御、転写ローラ１１５により現像剤像を記録媒体１０３へ転写する転写制御、定着部１１４の熱と圧力により転写された現像剤像を記録媒体１０３に定着させる定着制御を行い、記録媒体１０３に画像の印刷を行う。
【００５３】
次に、プリンタ制御部が通常モードから負荷低減モードへ移行する処理を図５の第１の実施例における負荷低減モードへの移行処理を示すフローチャートの図中のＳで表すステップにしたがって図１を参照しながら説明する。
【００５４】
Ｓ１：ファンＡ２０１ａ、ファンＢ２０１ｂ、またはファンＣ２０１ｃにおいてファンの回転異常が障害として発生するものとし、ファン回転検知センサ２２０ａ、ファン回転検知センサ２２０ｂ、またはファン回転検知センサ２２０ｃはファンＡ２０１ａ、ファンＢ２０１ｂ、またはファンＣ２０１ｃの異常を検出し、その旨をプリンタ制御部１１７のファン制御部２０５へ通知する。
【００５５】
Ｓ２：ファン制御部２０５のファン障害検出部２０６は、ファン回転検知センサ２２０ａ、ファン回転検知センサ２２０ｂ、またはファン回転検知センサ２２０ｃから通知された信号に基づいてファンの障害を検出し、プリンタ制御部１１７はＥＥＰＲＯＭ２０３に記憶されたデータテーブルに従って負荷低減モードへ移行する。
ここで、負荷低減モードへ移行する処理の詳細な内容を図１、図３、図４、表１および表２を参照しながら説明する。なお、表１および表２では二つの動作例を示しているが、これに限られるものではない。
【００５６】
まず、ファンＡ２０１ａの障害を検出した場合の処理を説明する。
ファンＡ２０１ａは、低圧電源２０８の冷却を行っており、その低圧電源２０８はプリンタ１０１全体に電力を供給している。ファンＡ２０１ａに障害が発生し、その回転が停止したとき、その後も連続して印刷動作を行った場合、低圧電源２０８は冷却されず温度が上昇することにより故障してしまい、プリンタ１０１全体に障害を拡大してしまう恐れがある。
【００５７】
そのため、ファンＡ２０１ａに障害が発生（停止）した場合、プリンタ制御部１１７の電源制御部２０７は、電源制御素子２０９を制御し、電源制御部２０７を除く、プリンタ制御部１１７、ファン群２０１、モータ群２０２、および定着部１１４の各要素（被電力供給部としての電力消費部）への電源供給を遮断してプリンタ１０１の動作を停止する。
これにより、低圧電源２０８の負荷を軽減し、低圧電源２０８の温度上昇を抑えることができる。
【００５８】
次に、ファンＢ２０１ｂの障害を検出した場合の処理を説明する。
ファンＢ２０１ｂは、定着部１１４の冷却を行っており、その定着部１１４はプリンタ制御部１１７により熱源としてのハロゲンランプやローラが駆動制御される。ファンＢ２０１ｂに障害が発生し、その回転が停止したとき、その後も連続して印刷動作を行った場合、定着部１１４の発熱により定着部１１４自体が故障してしまい、また定着部１１４の周辺の温度が上昇することによるプリンタ１０１の筐体が変形してしまうという障害が発生する恐れがある。
そのため、ファンＢ２０１ｂに障害が発生（停止）した場合、プリンタ制御部１１７はモータ群２０２および定着部１１４を制御し、負荷低減モードとしての間欠印刷モードに移行する。
【００５９】
なお、間欠印刷とは、記録媒体毎の印刷動作の時間間隔を、ファン障害検出部２０６が定着部１１４を冷却するファンＢ２０１ｂの障害の発生を検出していない通常の印刷動作より長く確保する印刷動作（例えば、通常では要求された枚数の記録媒体の印刷を連続して印刷する動作を、記録媒体を２枚印刷した後、３０秒間印刷動作を停止し、また記録媒体を２枚印刷した後、３０秒間印刷動作を停止する動作を繰り返す印刷動作）であり、記録媒体収容部１０４やオプショントレイ１３０からの記録媒体１０３の給紙および搬送動作、定着部１１４の加熱動作やローラの回転駆動を間欠して行い、定着部１１４の温度を下げることを目的とした動作である。
【００６０】
また、ファンＢ２０１ｂに障害が発生（停止）した場合であっても、その障害発生直後は、定着部１１４が故障するほどの温度まで定着部１１４の温度は上昇しておらず、障害発生後の印刷動作を間欠印刷とすることにより、定着部１１４の温度上昇を抑制し、印刷動作を継続することができる。
このように、ファン障害検出部２０６が定着部１１４を冷却するファンＢ２０１ｂの障害の発生を検出したとき、定着部１１４により行う定着動作の時間間隔を、ファン障害検出部２０６が定着部１１４を冷却するファンＢ２０１ｂの障害の発生を検出していないときより、長くすることにより、定着部１１４の負荷を軽減し、定着部１１４の周囲の温度上昇を抑えることができる。
【００６１】
次に、ファンＣ２０１ｃの障害を検出した場合の処理を説明する。
ファンＣ２０１ｃは、プリンタ制御部１１７の冷却を行っており、そのプリンタ制御部１１７はプリンタ１０１の各部（要素）を統括して制御する。ファンＣ２０１ｃに障害が発生し、その回転が停止した場合、その後も連続して印刷動作（例えば、図２に示すオプショントレイ１３０からの給紙等、搬送モータ等の負荷の大きい条件での連続動作）を行うと、プリンタ制御部１１７の発熱によりプリンタ制御部１１７自体が故障する障害が発生する恐れがある。
そのため、ファンＣ２０１ｃに障害が発生（停止）したとき、プリンタ制御部１１７はモータ群２０２および定着部１１４を制御し、上述した間欠印刷モードに移行する。
【００６２】
このように、ファン障害検出部２０６がプリンタ制御部１１７を冷却するファンＣ２０１ｃの障害の発生を検出したとき、プリンタ制御部１１７により行う印刷動作の時間間隔を、ファン障害検出部２０６がプリンタ制御部１１７を冷却するファンＣ２０１ｃの障害の発生を検出していないときより、長くすることにより、すなわち記録媒体収容部１０４やオプショントレイ１３０からの記録媒体１０３の給紙および搬送動作、定着部１１４の加熱動作やローラの回転駆動を間欠して行う間欠印刷モードに移行することにより、プリンタ制御部１１７の負荷を軽減し、プリンタ制御部１１７の周囲の温度上昇を抑えることができる。
【００６３】
または、表２に示すように、プリンタ制御部１１７はモータ群２０２を制御して図２に示すオプショントレイ１３０からの給紙を禁止し、記録媒体収容部１０４からの給紙のみを行うようにしても良い。図２に示すオプショントレイ１３０からの給紙を禁止するのは、オプショントレイ１３０からの給紙は、第３のレジストローラ対１３６等の駆動する搬送ローラが増えるため、プリンタ制御部１１７へ供給される電力が増加し、プリンタ制御部１１７の周囲の温度を上昇させるからである。
【００６４】
このように図２に示すオプショントレイ１３０からの給紙を禁止することにより、プリンタ制御部１１７の負荷を軽減し、プリンタ制御部１１７の周囲の温度上昇を抑えることができる。
なお、ファンＣ２０１ｃに障害が発生（停止）した場合であっても、その障害発生直後は、プリンタ制御部１１７が故障するほどの温度までプリンタ制御部１１７の温度は上昇しておらず、障害発生後の印刷動作を間欠印刷やオプショントレイからの給紙を禁止することにより、プリンタ制御部１１７の温度上昇を抑制し、印刷動作を継続することができる。
【００６５】
また、間欠印刷モードへ移行するかオプショントレイ１からの給紙を禁止するかの選択は、ＥＥＰＲＯＭ２０３に記憶された情報により決定されるものとし、その情報はユーザによる操作パネルでの設定操作や上位装置からの指示により設定されるものとする。
さらに、ファンに発生した障害が修理や交換等により解消した場合、通常の連続した印刷動作を行う通常モードに復帰するものとする。
【００６６】
このように、修理や取替えなどが必要であり、自己復旧が困難な障害がファンに発生したことをファン障害検出部２０６で検出した場合、プリンタ制御部１１７は、その障害が発生したファン（ファンＡ２０１ａ、ファンＢ２０１ｂ、ファンＣ２０１ｃ）に応じて被電力供給部へ供給する電力を電源制御部２０７により抑制し、その被電力供給部（発熱部）の負荷を軽減して温度上昇を抑える負荷低減モードへ移行することにより、さらに障害が拡大しない範囲でプリンタ１０１を使用することができ、ファン群２０１（ファンＡ２０１ａ、ファンＢ２０１ｂ、ファンＣ２０１ｃ）のいずれかの障害検出後から常にプリンタ１０１の使用ができなくなることがなくなり、使用者の利便性を確保することができる。
【００６７】
以上説明したように、第１の実施例では、修理や取替えなどが必要であり、自己復旧が困難な障害がファンに発生した場合、プリンタ制御部がその障害が発生したファンに応じて被電力供給部（発熱部）の負荷を軽減して温度上昇を抑える負荷低減モードへ移行することにより、さらに障害が拡大しない範囲でプリンタを使用することができ、使用者の利便性を確保することができるという効果が得られる。
【実施例２】
【００６８】
第２の実施例の構成は、第１の実施例の構成に対し、ファンＡによる冷却領域とファンＢによる冷却領域との間を接続するダクトと、そのダクトとファンＢによる冷却領域との間に遮蔽板を設けた構成としている。
その第２の実施例の構成を、図６の第２の実施例におけるファンの実装箇所および冷却領域を示す説明図、図７の第２の実施例におけるファンの実装箇所および冷却領域を示す斜視図、図８の第２の実施例における画像形成装置の制御構成を示すブロック図に基づいて説明する。なお、上述した第１の実施例と同様の部分は、同一の符号を付してその説明を省略する。
【００６９】
図６（ａ）はプリンタ１０１を左側面から見た断面図、図６（ｂ）はプリンタ１０１を上面から見た断面図、図６（ｃ）はプリンタ１０１を右側面から見た断面図、図６（ｄ）はプリンタ１０１を正面から見た断面図である。また、図７（ａ）における左側の面はプリンタ１０１の正面１０１ａであり、図７（ｂ）は図７（ａ）の要部を拡大した図である。さらに、図６および図７は説明の便宜上、プリンタ１０１の形状を擬似的に直方体としている。なお、図６中の破線の矢印はファンによる冷却風の流れを示している。
【００７０】
図６および図７において、ファンＡ２０１ａによる冷却領域２１１ａとファンＢ２０１ｂによる冷却領域２１１ｂとの間に筒状の接続部材としてのダクト２４１を設け、冷却領域２１１ａと冷却領域２１１ｂとの間を繋いでいる。
【００７１】
また、ダクト２４１と冷却領域２１１ｂとの間には、図示しないソレノイド等の駆動部により開閉可能に構成された遮蔽板２４２が設けられている。この遮蔽板２４２を開放することにより、冷却領域２１１ｂからの冷却風が冷却領域２１１ａへ流れ込み、遮蔽板２４２を閉塞することにより、冷却領域２１１ａと冷却領域２１１ｂとは遮蔽され、独立した冷却領域となる。
【００７２】
図８において、駆動部２３０は、ソレノイド等により構成され、図６および図７に示す遮蔽板２４２を開閉駆動する。この駆動部２３０は、電源制御素子２０９に接続され、その電源制御素子２０９から電源の供給を受け、またプリンタ制御部１１７の駆動制御部２３１に接続され、駆動制御部２３１からの制御信号にしたがって遮蔽板２４２の開閉動作を行う。
【００７３】
表３は、ファンの障害を検知したプリンタ制御部１１７が行う負荷低減モード３の動作を記述したテーブルであり、プリンタ制御部１１７のＥＥＰＲＯＭ２０３にデータテーブルとして格納されているものである。
【００７４】
【表３】
0005520845.tif 000004
【００７５】
表４は、負荷低減モード３とは異なるモードであって、ファンの障害を検知したプリンタ制御部１１７が行う負荷低減モード４の動作を記述したテーブルであり、プリンタ制御部１１７のＥＥＰＲＯＭ２０３にデータテーブルとして格納されているものである。
【００７６】
【表４】
0005520845.tif 000005
【００７７】
なお、表３に示す負荷低減モード３の動作と表４に示す負荷低減モード４の動作の異なる部分は、ファンＡ２０１ａまたはファンＣ２０１ｃで障害が発生した場合、表３に示す負荷低減モード３では間欠印刷を行うようにしているが、表４に示す負荷低減モード４ではオプショントレイからの給紙を禁止していることである。
【００７８】
上述した構成の作用について説明する。なお、プリンタの印刷動作は第１の実施例と同様なのでその説明を省略する。
第２の実施例における負荷低減モードへの移行処理は、図５に示す第１の実施例における負荷低減モードへの移行処理を示すフローチャートにおけるＳ１およびＳ２と同様なのでその説明を省略し、負荷低減モードへ移行する処理の詳細な内容を図６、図７、図８、表３および表４を参照しながら説明する。なお、表３および表４では二つの動作例を示しているが、これに限られるものではない。
【００７９】
まず、ファンＡ２０１ａの障害を検出した場合の処理を説明する。
第１の実施例と同様に、ファンＡ２０１ａは、低圧電源２０８の冷却を行っており、その低圧電源２０８はプリンタ１０１全体に電力を供給している。ファンＡ２０１ａに障害が発生し、その回転が停止した場合、その後も連続して印刷動作を行うと、低圧電源２０８は冷却されず温度が上昇することにより故障してしまい、プリンタ１０１全体に障害を拡大してしまう恐れがある。
【００８０】
そのため、ファンＡ２０１ａに障害が発生（停止）した場合、プリンタ制御部１１７の駆動制御部２３１は、駆動部２３０により冷却領域２１１ｂとダクト２４１とを遮蔽している遮蔽板２４２を開放し、その遮蔽を解除する。
これにより、ファンＢ２０１ｂによる冷却風がファンＡ２０１ａの冷却領域２１１ａに流れ込み、低圧電源２０８を応急的に冷却することができる。つまり、冷却手段を変更して低圧電源２０８を冷却する。なお、ここでの冷却手段とは、ファンそのものではなく、冷却風が流れる冷却領域を含めた広義の冷却手段のことである。
【００８１】
さらに、表３に示すように、プリンタ制御部１１７は、モータ群２０２および定着部１１４を制御し、間欠印刷モードに移行し、または表４に示すように、プリンタ制御部１１７はモータ群２０２を制御してオプショントレイからの給紙を行わないようにする。これにより、低圧電源２０８の負荷を軽減し、低圧電源２０８の温度上昇を抑えることができる。
【００８２】
なお、間欠印刷モードへ移行するかオプショントレイ１からの給紙を禁止するかの選択は、第１の実施例と同様に、ＥＥＰＲＯＭ２０３に記憶された情報により決定されるものとし、その情報はユーザによる操作パネルでの設定操作や上位装置からの指示により設定されるものとする。
【００８３】
このように、ファンＡ２０１ａに障害が発生（停止）した場合、プリンタ制御部１１７の駆動制御部２３１は、駆動部２３０により冷却領域２１１ｂとダクト２４１とを遮蔽している遮蔽板２４２を開放し、ファンＢ２０１ｂによる冷却風をファンＡ２０１ａの冷却領域２１１ａに流れ込ませ、低圧電源２０８を応急的に冷却し、さらに低圧電源２０８の負荷を軽減し、低圧電源２０８の温度上昇を抑える
次に、ファンＢ２０１ｂの障害を検出した場合の処理を説明する。
【００８４】
第１の実施例と同様に、ファンＢ２０１ｂは、定着部１１４の冷却を行っており、その定着部１１４はプリンタ制御部１１７により熱源としてのハロゲンランプやローラが駆動制御される。ファンＢ２０１ｂに障害が発生し、その回転が停止した場合、その後も連続して印刷動作を行うと、定着部１１４の発熱により定着部１１４自体が故障してしまい、また定着部１１４の周辺の温度が上昇することによるプリンタ１０１の筐体が変形してしまうという障害が発生する恐れがある。
【００８５】
そのため、ファンＢ２０１ｂに障害が発生（停止）した場合、プリンタ制御部１１７の駆動制御部２３１は、駆動部２３０により冷却領域２１１ｂとダクト２４１とを遮蔽している遮蔽板２４２を開放し、その遮蔽を解除する。
これにより、ファンＡ２０１ａによる冷却風がファンＢ２０１ｂの冷却領域２１１ｂに流れ込み、定着部１１４を応急的に冷却することができる。つまり、冷却手段を変更して定着部１１４を冷却する。
【００８６】
また、プリンタ制御部１１７は、モータ群２０２および定着部１１４を制御し、間欠印刷モードに移行する。
これにより、定着部１１４の負荷を軽減し、定着部１１４の周囲の温度上昇を抑えることができる。
なお、ファンＣ２０１ｃの障害を検出した場合の処理は第１の実施例と同様なのでその説明を省略する。
【００８７】
このようにファンＡ２０１ａの障害を検出したとき、遮蔽板２４２を開放してファンＢ２０１ｂの冷却風がファンＡ２０１ａの冷却領域２１１ａに流れ込むようにしたことにより、電源制御部２０７を除くプリンタ制御部１１７、ファン群２０１、モータ群２０２、定着部１１４の各部の電源供給を遮断してプリンタ１０１の印刷動作を停止することなく、間欠印刷を行うことができるまでにプリンタ１０１の使用範囲を拡大することができる。これにより、第１の実施例と比較して、さらに使用者の利便性を向上させることができる。
【００８８】
また、ファンＢ２０１ｂの障害を検出したときも、遮蔽板２４２を開放してファンＡ２０１ａの冷却風がファンＢ２０１ｂの冷却領域２１１ｂに流れ込むようにしたことにより、間欠印刷の印刷停止時間を３０秒よりも短い時間（例えば、１５秒）にすることができるようになり、第１の実施例と比較して、さらに使用者の利便性を向上させることができる。
【００８９】
以上説明したように、第２の実施例では、ファンＡの障害を検出したとき、遮蔽板を開放してファンＢの冷却風がファンＡの冷却領域に流れ込むようにしたことにより、プリンタの印刷動作を停止させることなく、間欠印刷を行うことができるまでにプリンタの使用範囲を拡大することができ、使用者の利便性を向上させることができることができるという効果が得られる。
【００９０】
また、ファンＢの障害を検出したときも、遮蔽板を開放してファンＡの冷却風がファンＢの冷却領域に流れ込むようにしたことにより、間欠印刷の印刷停止時間を３０秒よりも短い時間（例えば、１５秒）にすることができるようになり、使用者の利便性を向上させることができるという効果が得られる。
【００９１】
第１の実施例および第２の実施例では、本発明を画像形成装置としてのプリンタに適用した例で説明したが、それに限られることなく、冷却機能としてのファンを有する複写機、ファクシミリ装置、複合機等のＯＡ機器に適用するようにしても良い。
【００９２】
また、第１の実施例および第２の実施例では、自己復旧困難な障害をファンの障害として説明したが、それに限られるものでなく、故障や破壊等の障害が発生した場合、その部位の修理や交換が必要な障害であれば他の障害であっても良い。
【符号の説明】
【００９３】
１０１  プリンタ
１０３  記録媒体
１０４  記録媒体収容部
１０５、１３５  給紙ローラ
１０６  第１レジストローラ対
１０７  第２レジストローラ対
１１１  搬送ベルト
１１２  画像形成ユニット
１１３  ＬＥＤヘッド
１１４  定着部
１１５  転写ローラ
１１７  プリンタ制御部
１３０  オプショントレイ
１３６  第３レジストローラ対
２０１  ファン群
２０２  モータ群
２０３  ＥＥＰＲＯＭ
２０４  ＲＡＭ
２０５  ファン制御部
２０６  ファン障害検出部
２０７  電源制御部
２０８  低圧電源
２０９  電源制御素子
２１１  冷却領域
２２０ａ、２２０ｂ、２０ｃ  ファン回転検知センサ
２３０  駆動部
２３１  駆動制御部
２４１  ダクト
２４２  遮蔽板
【図１】
0005520845.tif 000006
【図２】
0005520845.tif 000007
【図３】
0005520845.tif 000008
【図４】
0005520845.tif 000009
【図５】
0005520845.tif 000010
【図６】
0005520845.tif 000011
【図７】
0005520845.tif 000012
【図８】
0005520845.tif 000013